(57)【要約】【課題】固定部が傾きにくく、コンパクトで部品数が少なく低コストにすることができる昇降装置を提供する。【解決手段】  巻き取り装置２はワイヤ６を巻き取るドラム７を有する。吊り材支持装置４はワイヤ６の先端部を支持するとともにワイヤ６にかかる負荷に応動する検知部８を有する。照明器具６はワイヤ６に吊持されて巻き取り装置４の動作により昇降する。検知スイッチ１４は検知部８の応動動作を検知する。また吊り材支持装置４は、ワイヤ６の先端部が通るコイルばね９と、コイルばね９に支持されかつワイヤ６の先端部が保持される固定部１０と、この固定部１０の動作をガイドするガイド体１１とを有し、検知部８は固定部１０に連結されて固定部１０の動作により検知スイッチ１４を作動する。 【選択図】        図１
2006210164.tif 000002
【特許請求の範囲】
【請求項１】
吊り材の基端部を巻き取り巻き戻しするドラムを有する巻き取り装置と、前記吊り材の先端部を支持するとともに前記吊り材にかかる負荷に応動する検知部を有する吊り材支持装置と、前記吊り材に吊持されて前記巻き取り機構の動作により昇降する被昇降体と、前記検知部の応動動作を検知する検知スイッチとを備え、
前記吊り材支持装置は、筒軸方向に圧縮可能であって前記吊り材の先端部が通る筒状の弾性体と、前記弾性体に支持されかつ前記弾性体に通された前記吊り材の先端部が保持される固定部と、この固定部をその動作方向にガイドするガイド体とを有し、前記検知部は前記固定部に連結されて前記固定部の動作により前記検知スイッチを作動する昇降装置。
【請求項２】
前記ガイド体は有底の筒状体であり、前記弾性体を前記筒状体の底部に配置し、前記吊り材は前記筒状体の底部を貫通し、
前記固定部と前記検知部は略同形状で連結部を介して相対向するように連結され、ともに前記ガイド体内に摺動自在に挿入されている請求項１記載の昇降装置。
【請求項３】
前記ガイド体は複数の平行な軸からなり、前記固定部と前記検知部は連結部を介して相対向するとともに前記固定部と前記検知部の周縁部に前記軸を挿通するガイド孔を形成した請求項１記載の昇降装置。
【請求項４】
前記固定部に切欠きを形成し、前記切欠きに挿通された前記吊り材の先端部に、前記固定部に保持された保持手段を設けた請求項２または請求項３記載の昇降装置。
【発明の詳細な説明】
【技術分野】
【０００１】
本発明は、例えば照明器具を被昇降体とする昇降装置に関するものである。
【背景技術】
【０００２】
例えば建物の構造体に固定された巻き取り装置を備えた昇降装置本体から、吊り材により吊り下げた照明器具を昇降させる昇降装置において、従来つぎのように安全を図るための手段が設けられている。
【０００３】
従来例（例えば特許文献１参照）を図８により説明する。この昇降装置は、吊り材であるワイヤ５３の先端部の吊り材支持装置において、２本のコイルばね５０をそれぞれ柱状の突起５１に支持させ、コイルばね５０に吊り材支持金具となる固定部５２を載せ、ワイヤ５３を固定部５２のコイルばね５０間に貫通して保持手段５５で係止し、固定部５２の上面で検知スイッチ５４の操作片５４ａを押圧している。ワイヤ５３に過負荷がかかると、固定部５２によりコイルばね５０が圧縮されて固定部５２が下降し、検知スイッチ５４の操作片５４ａから離れる。このため、検知スイッチ５４が動作し、ワイヤ５３を駆動する巻き取り装置のモータが停止し、ワイヤに吊り下げられた照明器具の昇降が停止する。
【０００４】
このようにこの昇降装置は、照明器具のワイヤ５３の張力の大小を検知してワイヤ５３の巻き取りを停止する機能を有する。
【特許文献１】特開平６−９２５９９号公報
【発明の開示】
【発明が解決しようとする課題】
【０００５】
しかし、この昇降装置は、バランスをとるため２本の突起５１を立て、２本のコイルばね５０を使う構造であるため、スペースをとり部品数も多くなっている。また２本のコイルばね５０で支持するため、固定部５２が傾きやすく検知スイッチ５４による検知精度が悪い。
【０００６】
したがって、本発明の目的は、固定部が傾きにくく、またコンパクトで部品数が少なく低コストにすることができる昇降装置を提供することである。
【課題を解決するための手段】
【０００７】
この発明の昇降装置は、巻き取り装置が前記吊り材の基端部を巻き取り巻き戻しするドラムを有する。吊り材支持装置は前記吊り材の先端部を支持するとともに前記吊り材にかかる負荷に応動する検知部を有する。被昇降体は前記吊り材に吊持されて前記巻き取り機構の動作により昇降する。検知スイッチは前記検知部の応動動作を検知する。
【０００８】
さらに前記吊り材支持装置は、筒軸方向に圧縮可能であって前記吊り材の先端部が通る筒状の弾性体と、前記弾性体に支持されかつ前記弾性体に通された前記吊り材の先端部が保持される固定部と、この固定部をその動作方向にガイドするガイド体とを有し、前記検知部は前記固定部に連結されて前記固定部の動作により前記検知スイッチを作動する。
【０００９】
上記構成において、前記ガイド体は有底の筒状体であり、前記弾性体を前記筒状体の底部に配置し、前記吊り材は前記筒状体の底部を貫通し、前記固定部と前記検知部は略同形状で連結部を介して相対向するように連結され、ともに前記ガイド体内に摺動自在に挿入されている。      
【００１０】
上記構成において、前記ガイド体は複数の平行な軸からなり、前記固定部と前記検知部は連結部を介して相対向するとともに前記固定部と前記検知部の周縁部に前記軸を挿通するガイド孔を形成している。
【００１１】
上記構成において、前記固定部に切欠きを形成し、前記切欠きに挿通された前記吊り材の先端部に、前記固定部に保持される保持手段を設けている。
【発明の効果】
【００１２】
この発明の昇降装置によれば、吊り材を挿通する筒状の弾性体により吊り材の固定部を支持し、固定部に検知部を連結するとともに固定部をガイド体によりガイドするため、固定部が傾きにくく、そのため検知精度を良くすることができる。
【００１３】
固定部と検知部を略同形状にして筒状のガイド体の軸方向に連結体を介して摺動自在に収納することにより、固定部および検知部の傾きがより一層抑えられる。
【００１４】
固定部と検知部を複数の軸からなるガイド体により摺動自在に支持することによっても、固定部および検知部の傾きがより一層抑えられる。
【００１５】
固定部に吊り材を通す切欠きを形成したため、ワイヤ等の吊り材の固定部への着脱が容易になり、組立容易になる。  
【発明を実施するための最良の形態】
【００１６】
この発明の第１の実施の形態を図１から図５により説明する。すなわち、この昇降装置は、例えば天井に下向きに開口するように建物の構造体に設けた昇降装置収納部１内に配置されている。昇降装置の本体５には、巻き取り装置２と、被昇降体である照明器具３と、吊り材支持装置４とを設けている。
【００１７】
巻き取り装置２は吊り材であるワイヤ６の基端部を巻き取り巻き戻しするドラム７を有するとともに、ドラム７を駆動するモータを有する。ドラム７から繰り出されたワイヤ６はワイヤ６の方向を下方向へ変換する滑車２６に巻き掛けられて照明器具３の昇降部３ａにつながる。
【００１８】
照明器具３はその昇降部３ａに設けた２個の滑車２５にワイヤ６を巻き掛けている。
【００１９】
吊り材支持装置４は本体５に取付けられて、照明器具３に巻き掛けたワイヤ６の先端を支持する。これによって、照明器具３がワイヤ６に吊持され、巻き取り装置２の動作により昇降する。
【００２０】
吊り材支持装置４は、図２から図４に示すように構成され、弾性体、例えばコイルばね９と、固定部１０と、検知部８と、検知装置本体を兼ねるガイド体１１とを有する。
【００２１】
ガイド体１１は有底の筒状体であり、軸方向に圧縮可能な圧縮ばねを用いたコイルばね９をガイド体１１の底部に配置している。ガイド体１１の底部に貫通した貫通孔１１ａを通してワイヤ６の先端部がコイルばね９の中心を通る。固定部１０は、金属製であり中央にスリット状の切欠き１３を有し、コイルばね９に支持され、ワイヤ６の先端部が切欠き１３に通され、ワイヤ６の先端部に保持手段１８を設けて固定部１０に係止している。これによって、固定部１０はワイヤ６にかかる過負荷に応動することができる。
【００２２】
検知部８は固定部１０に連結されるもので、固定部１０と検知部８は略同形状で一部が欠けた円板状に形成され、円板の欠けた部分で連結部１２により相互に連結され、かつ連結部１２を介して相対向するように、全体として略コ字形をなしている。また固定部１０および検知部８がガイド体１１内に摺動自在に挿通され、上記したように固定部１０がコイルばね９の上面に係載される。
【００２３】
検知スイッチ１４は、ガイド体１１の上面に固定され、その作動片１４ａが検知部８に押された状態に接触し、かつ、検知部８の下降動作で作動片１４ａが復帰するように設置されている。
【００２４】
上記したように、昇降装置は、巻き取り装置２のドラム７より繰り出したワイヤ６を滑車２６を介して吊り材支持装置４との間に照明器具３を吊り下げている。巻き取り装置２のモータを駆動してドラム７を繰り出し方向に回転すると、ワイヤ６が繰り出されて照明器具３が下降する。反対にドラム７を巻き取り方向に回転すると、照明器具３が上昇する。また照明器具３の昇降部３ａが物に引っ掛かる等により、ワイヤ６に設定負荷よりも大きい負荷がかかった場合、ワイヤ６の先端の保持手段１８を係止する固定部１０および検知部８がガイド体１１内をスライドして、コイルばね９が図３に示す状態に圧縮され、固定部１０を介して検知部８が下降し、検知スイッチ１４が動作する。検知スイッチ１４の動作によりモータが停止し、照明器具３の昇降が停止する。これにより、過負荷状態でのワイヤ６の巻き取りを防止し、設定以上の荷重をつけた使用や異常状態での使用を防止することができ、安全が図れる。２０は吊り材支持装置４の近傍に設けたワイヤ６のガイドである。
【００２５】
図５は昇降装置の具体的装置を示し、図１と共通部分に同一符号を付している。
【００２６】
第１の実施の形態によれば、吊り材支持装置４により、常に安全な状態で昇降動作を行い、異常時には停止することができる。また吊り材支持装置４の固定部１０がガイド体１１にガイド支持されるため固定部１０の傾きが防止されるとともに、コイルばね９を１本化することが可能となり、このため部品点数が削減でき、構造が単純化され、コンパクト化およびローコスト化が達成できる。
【００２７】
この発明の第２の実施の形態を図６および図７により説明する。すなわち、ガイド体は複数本の平行な軸１１ａ〜１１ｄにより形成されている。固定部１０および検知部８は周縁部に軸１１ａ〜１１ｄを挿通するガイド孔１５を形成し、軸１１ａ〜１１ｄに沿って摺動する。弾性体は筒状をなす中空のゴム１６を用い、吊り材はベルト１７を用い、ベルト１７の先端を切欠き１３に通し、保持手段１８として例えばねじにより固定部１０に固定している。
【００２８】
検知スイッチ、その他の構成は第１の実施の形態と同様である。
【００２９】
なお、この発明において、吊り材支持装置は、弾性体が吊り材の過負荷で弾性変形することによる検知部の動作を検知スイッチで検知する場合に限らず、被昇降体が床面に着いたことを検知することも可能である。すなわち、吊り材が被昇降体を吊持することにより弾性体が弾性変形し被昇降体が床面に着いたことで弾性体の弾性変形が復帰し、このときの検知部の動作を検知スイッチで検知する。
【００３０】
また、この発明において、被昇降体は巻き取り装置４を設けたものでもよい。
【図面の簡単な説明】
【００３１】
【図１】この発明の第１の実施の形態の概略断面図である。
【図２】吊り材支持装置の概略断面図である。
【図３】その動作状態の概略断面図である。
【図４】吊り材支持装置の固定部および検知部の概略斜視図である。
【図５】具体的装置の一例を示す斜視図である。
【図６】第２の実施の形態の吊り材支持装置の概略斜視図である。
【図７】その側面図である。
【図８】従来例の吊り材支持装置の概略斜視図である。
【符号の説明】
【００３２】
２    巻き取り装置  
３    照明器具
４    吊り材支持装置
６    ワイヤ    
７    ドラム
８    検知部
９    コイルばね
１０    固定部
１１    ガイド体
１２    連結部
１３    切欠き
１４    検知スイッチ
１８    保持手段
【図１】
2006210164.tif 000003
【図２】
2006210164.tif 000004
【図３】
2006210164.tif 000005
【図４】
2006210164.tif 000006
【図５】
2006210164.tif 000007
【図６】
2006210164.tif 000008
【図７】
2006210164.tif 000009
【図８】
2006210164.tif 000010